(57)【要約】【課題】遊技機の異常を監視する。【解決手段】監視端末３の撮像部５２は、遊技機２の前扉が閉鎖状態において、遊技機２の前扉の裏側に印字され、遊技機毎に固有の表記された情報を含む記録担体４６を撮像し、前扉が開放状態となった場合、遊技機の前方周辺を撮像する。情報識別部５３は、撮像部５２により撮像された記録担体４６に表記されているQRコードから遊技機２の情報を生成し、ホールコンピュータ１に送信する。ホールコンピュータ１の情報判定部２８は、識別情報データベース１４に記憶されている遊技機２の情報と照合し、照合結果が一致であって、不一致が登録されている場合、または、照合結果が不一致であって、一致が登録されている場合、照合結果を判定結果データベース１３に登録し、併せて撮像部５２により撮像された画像を登録する。本発明は、ホールコンピュータに適用することができる。【選択図】図１
2010207355.tif 000002
【特許請求の範囲】
【請求項１】
前扉の裏側に固有情報を含む画像識別コードが備え付けられた複数の遊技機の監視端末と、前記複数の遊技機を監視する情報処理装置とからなる監視システムにおいて、
前記前扉が閉鎖状態となった場合、前記画像識別コードと対向する位置において、前記画像識別コードを撮像し、前記前扉が開放状態となった場合、前記遊技機の前方周辺を撮像する撮像手段と、
前記遊技機のそれぞれに対応する固有情報を記憶する記憶手段と、
前記撮像手段により撮像された画像識別コードに含まれる固有情報と、前記記憶手段に記憶されている固有情報とを前記遊技機毎に照合する照合手段と、
前記照合手段による照合結果が一致であって、直前の照合結果が不一致であることが登録されている場合、または、前記照合結果が不一致であって、直前の照合結果が一致であることが登録されている場合、照合結果をデータベースに登録する照合結果登録手段と、
前記撮像手段により撮像された画像を連続的に記録する画像記録手段と
を含む監視システム。
【請求項２】
前記監視端末は、前記撮像手段を含み、
前記情報処理装置は、前記記憶手段、前記照合手段、および前記照合結果登録手段を含む
請求項１に記載の監視システム。
【請求項３】
前記照合結果登録手段は、前記照合結果を登録する際、前記照合結果が得られた時刻の情報を対応付けて登録する
請求項１に記載の監視システム。
【請求項４】
前記遊技機の前扉の開放を検出する開放検出手段と、
前記遊技機に接近する磁気を検出する磁気検出手段と、
前記遊技機の近傍で発生する電波を検出する電波検出手段と、
前記遊技機に発生する振動を検出する振動検出手段と
のいずれか、または、全てをさらに含み、
前記照合結果登録手段は、前記開放検出手段により開放が検出された場合、前記磁気検出手段により磁気が検出された場合、前記電波検出手段により電波が検出された場合、または、前記振動検出手段により検出された場合、前記異常発生として前記データベースに登録すると共に、登録する時刻を併せて登録する
請求項１に記載の監視システム。
【請求項５】
前扉の裏側に固有情報を含む画像識別コードが備え付けられた複数の遊技機と、前記複数の遊技機を監視する情報処理装置とからなる監視システムの管理方法において、
前記前扉が閉鎖状態となった場合、前記画像識別コードと対向する位置において、前記画像識別コードを撮像し、前記前扉が開放状態となった場合、前記遊技機の前方周辺を撮像する撮像ステップと、
前記遊技機のそれぞれに対応する固有情報を記憶する記憶ステップと、
前記撮像ステップの処理により撮像された画像識別コードに含まれる固有情報と、前記記憶ステップの処理により記憶されている固有情報とを前記遊技機毎に照合する照合ステップと、
前記照合ステップの処理による照合結果が一致であって、直前の照合結果が不一致であることが登録されている場合、または、前記照合結果が不一致であって、直前の照合結果が一致であることが登録されている場合、照合結果をデータベースに登録する照合結果登録ステップと、
前記撮像ステップの処理により撮像された画像を連続的に記録する画像記録ステップと
を含む監視システムの監視方法。
【請求項６】
前扉の裏側に固有情報を含む画像識別コードが備え付けられた複数の遊技機と、前記複数の遊技機を監視する情報処理装置とからなる監視システムを制御するコンピュータに、
前記前扉が閉鎖状態となった場合、前記画像識別コードと対向する位置において、前記画像識別コードを撮像し、前記前扉が開放状態となった場合、前記遊技機の前方周辺を撮像する撮像ステップと、
前記遊技機のそれぞれに対応する固有情報を記憶する記憶ステップと、
前記撮像ステップの処理により撮像された画像識別コードに含まれる固有情報と、前記記憶ステップの処理により記憶されている固有情報とを前記遊技機毎に照合する照合ステップと、
前記照合ステップの処理による照合結果が一致であって、直前の照合結果が不一致であることが登録されている場合、または、前記照合結果が不一致であって、直前の照合結果が一致であることが登録されている場合、照合結果をデータベースに登録する照合結果登録ステップと、
前記撮像ステップの処理により撮像された画像を連続的に記録する画像記録ステップと
を含む処理を実行させるプログラム。
【発明の詳細な説明】
【技術分野】
【０００１】
本発明は、監視システムおよび監視方法、並びにプログラムに関し、特に、遊技機の異常を監視すると共に、異常を検出した時刻とそのときの遊技機周辺状況を撮像できるようにした監視システムおよび監視方法、並びにプログラムに関する。
【背景技術】
【０００２】
パチンコホールに代表される遊技店においては、遊技機に対して不正な装置を施したり、不正に設定を変更するなどして、不正に遊技媒体を獲得する犯罪が多発している。このような犯罪に対応するため、遊技機に対してなされた不正行為を監視する遊技店監視システムが実用化されている。
【０００３】
この遊技店監視システムとしては、IC（Integrated Circuit）タグを用いて、RFID（Radio Frequency Identification）通信により遊技機に対する不正行為の有無を監視する遊技店監視システムが提案されている（特許文献１参照）。
【０００４】
この遊技店監視システムは、遊技機に固有の情報を持つIDタグを付し、そのIDタグとRFID通信することができる端末を用いるものであり、端末を遊技機にかざし、IDタグと、RFID通信できない場合、遊技店の従業員による作業の結果であるとき作業情報を、それ以外のとき異常情報を、端末とのRFID通信の通信結果に対応して、遊技店全体を管理するホールコンピュータに送信することで、遊技機の異常を監視するというものである。
【先行技術文献】
【特許文献】
【０００５】
【特許文献１】特開２００６−２８０８２３号公報
【発明の概要】
【発明が解決しようとする課題】
【０００６】
しかしながら、特許文献１の遊技店監視システムにおいては、ICタグが読み取れたか否かという事象で監視するため、不正行為が行われたという事実は把握できるが、把握された不正行為がどのような状況で行われたかを詳細に把握することができなかった。
【０００７】
さらに、近年では遊技店の従業員による内部犯行も多数報告されており、作業カードを所持する従業員であれば容易に遊技機に何らかの不正な細工を施すことは可能であった。
【０００８】
本発明はこのような状況に鑑みてなされたものであり、特に、遊技機の異常を監視すると共に、異常を検出した時刻とそのときの遊技機周辺状況を撮像できるようにするものである。
【課題を解決するための手段】
【０００９】
本発明の一側面の監視システムは、前扉の裏側に固有情報を含む画像識別コードが備え付けられた複数の遊技機と、前記複数の遊技機を監視する情報処理装置とからなる監視システムであって、前記前扉が閉鎖状態となった場合、前記画像識別コードと対向する位置において、前記画像識別コードを撮像し、前記前扉が開放状態となった場合、前記遊技機の前方周辺を撮像する撮像手段と、前記遊技機のそれぞれに対応する固有情報を記憶する記憶手段と、前記撮像手段により撮像された画像識別コードに含まれる固有情報と、前記記憶手段に記憶されている固有情報とを前記遊技機毎に照合する照合手段と、前記照合手段による照合結果が一致であって、直前の照合結果が不一致であることが登録されている場合、または、前記照合結果が不一致であって、直前の照合結果が一致であることが登録されている場合、照合結果をデータベースに登録する照合結果登録手段と、前記撮像手段により撮像された画像を連続的に記録する画像記録手段とを含む。
【００１０】
前記監視端末には、前記撮像手段を含ませるようにすることができ、前記情報処理装置には、前記記憶手段、前記照合手段、および前記照合結果登録手段を含ませるようにすることができる。
【００１１】
前記照合結果登録手段には、前記照合結果を登録する際、前記照合結果が得られた時刻の情報を対応付けて登録させるようにすることができる。
【００１２】
前記遊技機の前扉の開放を検出する開放検出手段と、前記遊技機に接近する磁気を検出する磁気検出手段と、前記遊技機の近傍で発生する電波を検出する電波検出手段と、前記遊技機に発生する振動を検出する振動検出手段とのいずれか、または、全てをさらに含ませるようにすることができ、前記照合結果登録手段には、前記開放検出手段により開放が検出された場合、前記磁気検出手段により磁気が検出された場合、前記電波検出手段により電波が検出された場合、または、前記振動検出手段により検出された場合、前記異常発生として前記データベースに登録すると共に、登録する時刻を併せて登録させるようにすることができる。
【００１３】
本発明の一側面の監視システムの監視方法は、前扉の裏側に固有情報を含む画像識別コードが備え付けられた複数の遊技機と、前記複数の遊技機を監視する情報処理装置とからなる監視システムの管理方法であって、前記前扉が閉鎖状態となった場合、前記画像識別コードと対向する位置において、前記画像識別コードを撮像し、前記前扉が開放状態となった場合、前記遊技機の前方周辺を撮像する撮像ステップと、前記遊技機のそれぞれに対応する固有情報を記憶する記憶ステップと、前記撮像ステップの処理により撮像された画像識別コードに含まれる固有情報と、前記記憶ステップの処理により記憶されている固有情報とを前記遊技機毎に照合する照合ステップと、前記照合ステップの処理による照合結果が一致であって、直前の照合結果が不一致であることが登録されている場合、または、前記照合結果が不一致であって、直前の照合結果が一致であることが登録されている場合、照合結果をデータベースに登録する照合結果登録ステップと、前記撮像ステップの処理により撮像された画像を連続的に記録する画像記録ステップとを含む。
【００１４】
本発明の一側面のプログラムは、前扉の裏側に固有情報を含む画像識別コードが備え付けられた複数の遊技機と、前記複数の遊技機を監視する情報処理装置とからなる監視システムを制御するコンピュータに、前記前扉が閉鎖状態となった場合、前記画像識別コードと対向する位置において、前記画像識別コードを撮像し、前記前扉が開放状態となった場合、前記遊技機の前方周辺を撮像する撮像ステップと、前記遊技機のそれぞれに対応する固有情報を記憶する記憶ステップと、前記撮像ステップの処理により撮像された画像識別コードに含まれる固有情報と、前記記憶ステップの処理により記憶されている固有情報とを前記遊技機毎に照合する照合ステップと、前記照合ステップの処理による照合結果が一致であって、直前の照合結果が不一致であることが登録されている場合、または、前記照合結果が不一致であって、直前の照合結果が一致であることが登録されている場合、照合結果をデータベースに登録する照合結果登録ステップと、前記撮像ステップの処理により撮像された画像を連続的に記録する画像記録ステップとを含む処理を実行させる。
【００１５】
本発明の一側面においては、前記前扉が閉鎖状態となった場合、前記画像識別コードと対向する位置において、前扉の裏側に備え付けられた、固有情報を含む画像識別コードが撮像され、前記前扉が開放状態となった場合、前記遊技機の前方周辺が撮像され、前記遊技機のそれぞれに対応する固有情報が記憶され、撮像された画像識別コードに含まれる固有情報と、記憶されている固有情報とが前記遊技機毎に照合され、照合結果が一致であって、直前の照合結果が不一致であることが登録されている場合、または、前記照合結果が不一致であって、直前の照合結果が一致であることが登録されている場合、照合結果がデータベースに登録され、撮像された画像が連続的に記録される。
【００１６】
本発明の一側面の監視システムにおける、前扉の裏側に備え付けられた固有情報を含む画像識別コードとは、例えば、QRコード（Quick Response Code）であり、前記前扉が閉鎖状態となった場合、前記画像識別コードと対向する位置において、前扉の裏側に印字されている前記画像識別コードを撮像し、前記前扉が開放状態となった場合、前記遊技機の前方周辺を撮像する撮像手段とは、例えば、監視端末の撮像部であり、前記遊技機のそれぞれに対応する固有情報を記憶する記憶手段とは、例えば、判定ステータス情報データベースであり、前記撮像手段により撮像された画像識別コードに含まれる固有情報と、前記記憶手段に記憶されている固有情報とを前記遊技機毎に照合する照合手段とは、例えば、情報判定部であり、前記照合手段による照合結果が一致であって、直前の照合結果が不一致であることが登録されている場合、または、前記照合結果が不一致であって、直前の照合結果が一致であることが登録されている場合、照合結果をデータベースに登録する照合結果登録手段とは、例えば、判定結果記録部であり、前記撮像手段により撮像された画像を連続的に記録する画像記録手段とは、例えば、記録部である。
【００１７】
すなわち、遊技機の前扉の裏側に、QRコードが印字（マスキング）され、前扉が閉鎖された状態のとき、QRコードを撮像できる状態で、撮像部が設けられている。撮像部は、遊技機の前扉が閉鎖された状態の場合、撮像したQRコードを識別情報としてホールコンピュータに送信する。また、撮像部は、前扉が開放された場合、QRコードが撮像できない状態となるが、前扉の開放と共に、遊技機の前方周辺状況を撮像できる状態となり、撮像した画像をホールコンピュータに送信する。ホールコンピュータの情報判定部は、撮像されたQRコードからなる識別情報で、遊技機に対応付けて登録されている識別情報が登録された識別情報データベースを照合する。そして、QRコードの画像を送信してきた遊技機に対応する識別情報と一致する場合、判定結果記録部は、判定ステータス情報データベースにアクセスし、対応する遊技機の直前の判定結果が不一致であれば、一致を登録すると共に、照合結果が不一致であった場合、対応する遊技機の直前の判定結果が一致であれば、不一致を登録する。また、記録部は、撮像部より供給されてくる画像を連続的に記録するので、前扉が閉じた状態のときの画像においては、QRコードのみが撮像された画像が記録されることになるが、前扉が開いた状態のときの画像においては、前扉が開いている状態で、遊技機に対してなされた行為が記録されることになる。
【００１８】
結果として、判定ステータス情報データベースにおける遊技機の判定結果に基づいて、識別情報が不一致の遊技機については、撮像部により連続的に撮像されている画像のうち、不正が検出されたときの画像を確認することが可能となるので、不正行為を監視すると共に、不正行為がなされたときの状況を把握することが可能となる。
【発明の効果】
【００１９】
本発明によれば、遊技機の異常を監視すると共に、異常を検出したときの遊技機周辺状況を把握することが可能となる。
【図面の簡単な説明】
【００２０】
【図１】本発明を適用した監視システムの構成例を説明する図である。
【図２】判定ステータス情報データベースの構成例を説明する図である。
【図３】判定結果データベースの構成例を説明する図である。
【図４】識別情報データベースの構成例を説明する図である。
【図５】遊技機および端末装置の概観を示す図である。
【図６】撮像部および記録担体の配置を示す図である。
【図７】撮像部および記録担体の配置を示す図である。
【図８】識別情報登録処理を説明するフローチャートである。
【図９】監視処理を説明するフローチャートである。
【図１０】遊技機監視処理を説明するフローチャートである。
【図１１】識別情報チェック処理を説明するフローチャートである。
【図１２】遊技機異常チェック処理を説明するフローチャートである。
【図１３】扉開閉チェック処理を説明するフローチャートである。
【図１４】磁石センサチェック処理を説明するフローチャートである。
【図１５】電波センサチェック処理を説明するフローチャートである。
【図１６】振動センサチェック処理を説明するフローチャートである。
【図１７】汎用のコンピュータの構成例を示す図である。
【発明を実施するための形態】
【００２１】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
すなわち、本発明の一側面の監視システムは、複数の遊技機（例えば、図１の遊技機２）と前記複数の遊技機を監視する情報処理装置（例えば、図１のホールコンピュータ１）とからなる監視システムであって、前記遊技機の前扉の裏側に備え付けられ、前記遊技機毎に固有のIDの情報を含む画像識別コード（例えば、図１の記録担体４６）と、前記画像識別コードと対向する位置において、前記前扉が閉鎖状態となった場合、前記画像識別コードを撮像し、前記前扉が開放状態となった場合、前記遊技機の前方周辺を撮像する撮像手段（例えば、図１の撮像部５２）と、前記IDに対応付けて前記遊技機の情報を記憶する記憶手段と、前記撮像手段により撮像された画像識別コードに含まれるIDの情報を、前記記憶手段に記憶されているIDの情報と照合する照合手段（例えば、図１の情報判定部２８）と、前記照合手段による照合結果が一致であって、直前の照合結果が不一致であることが登録されている場合、または、前記照合結果が不一致であって、直前の照合結果が一致であることが登録されている場合、照合結果をデータベース（例えば、図１の判定ステータス情報データベース１２）に登録する照合結果登録手段と、前記撮像手段により撮像された画像を連続的に記録する画像記録手段（例えば、図１の記録部２４）とを含む。
【００２３】
前記遊技機の前扉の開放を検出する開放検出手段（例えば、図１の扉開閉センサ４２）と、前記遊技機に接近する磁気を検出する磁気検出手段（例えば、図１の磁石センサ４４）と、前記遊技機の近傍で発生する電波を検出する電波検出手段（例えば、図１の電波センサ４５）と、前記遊技機に発生する振動を検出する振動検出手段（例えば、図１の振動センサ４３）とのいずれか、または、全てをさらに含ませるようにすることができ、前記照合結果登録手段には、前記開放検出手段により開放が検出された場合、前記磁気検出手段により磁気が検出された場合、前記電波検出手段により電波が検出された場合、または、前記振動検出手段により検出された場合、前記異常発生として前記データベースに登録すると共に、登録する時刻を併せて登録させるようにすることができる。
【００２４】
本発明の一側面の監視システムの監視方法は、本体の前扉の裏側に備え付けられ、前記本体毎に固有のIDの情報を含む画像識別コードと、前記画像識別コードと対向する位置において、前記前扉が閉鎖状態となった場合、前記画像識別コードを撮像し、前記前扉が開放状態となった場合、前記遊技機の前方周辺を撮像する撮像手段とを含む複数の遊技機と前記複数の遊技機を監視する情報処理装置とからなる監視システムの監視方法であって、前記IDに対応付けて前記遊技機の情報を記憶する記憶ステップ（例えば、図８のステップＳ３）と、前記撮像ステップの処理により撮像された画像識別コードに含まれるIDの情報を、前記記憶ステップの処理で記憶されているIDの情報と照合する照合ステップ（例えば、図１１のステップＳ８４）と、前記照合ステップの処理による照合結果が一致であって、直前の照合結果が不一致であることが登録されている場合、または、前記照合結果が不一致であって、直前の照合結果が一致であることが登録されている場合、照合結果をデータベースに登録する照合結果登録ステップ（例えば、図１１のステップＳ８６，Ｓ８９）と、前記撮像手段により撮像された画像を連続的に記録する画像記録ステップ（例えば、図８のステップＳ２２）とを含む。
【００２５】
［監視システムの一実施の形態の構成例］
図１は、本発明を適用した遊技機の異常を監視する監視システムの一実施の形態の構成例を示す図である。
【００２６】
監視システムは、ホールコンピュータ１、遊技機２、および監視端末３より構成されている。ホールコンピュータ１は、遊技店の全遊技機２の動作を監視している。ホールコンピュータ１は、遊技機２に設けられている各種のセンサの検出信号を監視し、遊技機２の異常情報を蓄積する。また、ホールコンピュータ１は、監視端末３より供給されてくる、遊技機２に印字（マスキング）されている記録担体４６のQRコード（Quick Response Code）の識別情報が、登録された識別情報であるか否かにより不正行為の有無を判定することで異常を監視する。尚、遊技機２、および監視端末３は、図１においては、それぞれ１個ずつが記載されているが、実際には、遊技店内に設けられた複数の遊技機２と対応する監視端末３がホールコンピュータ１に接続されている。
【００２７】
ホールコンピュータ１は、制御部２１、操作部２２、通信部２３、記録部２４、信号入力部２５、記録情報登録部２６、表示部２７、情報判定部２８、判定結果記録部２９、およびRTC（Real Time Clock）３０より構成されている。また、制御部２１、操作部２２、通信部２３、記録部２４、信号入力部２５、記録情報登録部２６、表示部２７、情報判定部２８、判定結果記録部２９、およびRTC（Real Time Clock）３０は、バス３１を介して相互に各種の情報を授受することができる。
【００２８】
制御部２１は、ホールコンピュータ１の全体の動作を制御しており、各種のブログラムを実行することにより、各種の動作を実行させる。操作部２２は、キーボード、操作ボタン、またはマウスなどから構成されており、遊技店を管理する係員などから各種の入力を受け付け、入力された情報に対応する信号を制御部２１に出力する。
【００２９】
通信部２３は、制御部２１により制御され、イーサネットボードなどから構成されており、監視端末３より供給されてくる識別情報を受信し、情報判定部２８に供給する。記録部２４は、制御部２１により制御され、監視端末３より供給されてくる画像を画像記録データベース１１に記録させる。信号入力部２５は、遊技機２より供給されてくる各種のセンサの検出結果の入力を受け付け、情報判定部２８に供給する。記録情報登録部２６は、監視端末３より供給されてくる識別情報を遊技機２に対応付けて、識別情報データベース１４に登録する。
【００３０】
識別情報データベース１４は、例えば、図２で示されるようなデータベースである。識別情報データベース１４には、遊技店における運営情報と対応付けて遊技機固有情報が登録されている。
【００３１】
さらに、運営情報には、台番号、島番号、およびフロア等の遊技機２の遊技店内の位置を示す情報が含まれており、台番号は、遊技機２を個別に識別する番号であり、図２においては、上から「１０００」、「１００１」、「１００２」と示されている。また、島番号は、遊技機２が複数に設置されている島設備の番号であり、図２においては、全て「７７」が登録されている。さらに、フロアは、遊技機２が設置されている遊技店のフロア階を示す番号であり、図２においては、全て「０１」が登録されており、全て１階であることが示されている。
【００３２】
また、遊技機固有情報としては、メーカ名、機種名、型番、および仕様が登録されている。メーカ名は、遊技機２の製造メーカであり、図２においては、上から「A社」、「B社」、および「C社」が登録されている。機種名は、遊技機２の機種を特定するための名称であって、図２においては、上から「CR大川スペシャル」、「CR必殺仕事屋」、および「CR冬祭り」が登録されている。型番は、遊技機２のそれぞれを識別する型式を示す番号であり、図２においては、上から「A00-B111」、「C00-D111」、および「E00-F111」と登録されている。尚、この型番には、型式を示す番号と共に、固体識別番号が含まれており、これにより各遊技機２は、固有に識別されて管理することが可能となる。仕様は、遊技機２の仕様内容を示すものであり、図２の場合、上から「ミドルスペック」（中級者向け遊技機）、「甘デジ」（初級者向け遊技機）、および「ハイスペック」（上級者向け遊技機）と登録されている。
【００３３】
すなわち、図２においては、台番号が「１０００」の遊技機２は、１階の島番号が77番の島設備に設けられており、メーカ名が「A社」であり、機種名が「CR大川スペシャル」、であり、型番が「A00-B111」であり、仕様が「ミドルスペック」であることが示されている。また、台番号が「１００１」の遊技機２は、１階の島番号77番の島設備に設けられており、メーカ名が「B社」であり、機種名が「CR必殺仕事屋」、であり、型番が「C00-D111」であり、仕様が「ミドルスペック」であることが示されている。さらに、台番号が「１００２」の遊技機２は、１階の島番号77番の島設備に設けられており、メーカ名が「C社」であり、機種名が「CR冬祭り」、であり、型番が「E00-F111」であり、仕様が「ハイスペック」であることが示されている。
【００３４】
表示部２７は、LCD（Liquid Crystal Display）や有機EL（Electro-Luminescence）などから構成されており、各種の処理結果や操作部２２の入力結果を表示する。情報判定部２８は、通信部２３より供給されてくる監視端末３からの識別情報を識別情報データベース１４に照合し、一致するか否かを判定し、判定結果を判定結果記録部２９に供給する。判定結果記録部２９は、情報判定部２８の判定結果、および信号入力部２５を介して遊技機２より供給されてくる各種のセンサの検出結果を判定ステータス情報データベース１２に記録すると共に、異常が検出された場合、異常が検出されていることを示す情報のみを判定結果データベース１３に記録する。判定結果記録部２９は、判定ステータス情報データベース１２、および判定結果データベース１３に情報を記録する際、RTC３０により発生される時刻情報を読み込み、対応付けて記録する。判定結果記録部２９は、画像抽出部２９ａを備えており、扉開閉センサ４２に異常が検出された場合、異常が解除されるまでの期間に、画像記録データベース１１に登録されている画像データを抽出する。
【００３５】
判定結果データベース１３は、例えば、図３で示されるような構成とされる。図３においては、台番号に対応付けて、チェック種別、異常発生時刻、および撮像画像の有無が記録されている。図３においては、台番号が上から「１０００」、「１００１」、および「１００２」と登録されている。また、図３においては、チェック種別が、上から「扉開閉センサ異常」、「磁石センサ異常」、および「電波センサ異常」と登録されている。さらに、図３においては、異常発生時刻の情報が、上から「2009/1/28 14:12:15」、「2009/1/28 14:13:15」、および、「2009/1/28 14:14:15」と登録されている。また、撮像画像の有無の情報は、異常発生時刻に対応する情報として画像記録データベース１１にQRコード以外の画像が記録されているか否かを示す情報であり、図３においては、上から「あり」、「なし」、および「なし」と登録されている。
【００３６】
すなわち、図３で示される判定結果データベース１３においては、台番号「１０００」の遊技台２は、2009年1月28日14時12分15秒に扉開放センサ４２の異常が検出され、そのときの画像が画像記録データベース１１に登録されていることが示されている。また、台番号「１００１」の遊技台２は、2009年1月28日14時13分15秒に磁石センサ４４の異常が検出され、そのときの画像が画像記録データベース１１には登録されていないことが示されている。さらに、台番号「１００２」の遊技台２は、2009年1月28日14時14分15秒に電波センサ４５の異常が検出され、そのときの画像が画像記録データベース１１には登録されていないことが示されている。
【００３７】
また、判定ステータス情報データベース１２は、例えば、図４で示されるような構成とされる。判定ステータス情報データベース１２は、台番号に対応付けて、識別情報チェック欄、および遊技機異常チェック欄が設けられており、遊技機異常チェック欄は、さらに、扉開閉センサチェック欄、磁石センサチェック欄、電波センサチェック欄、および振動センサチェック欄が設けられている。
【００３８】
識別情報チェック欄には、結果欄、および時刻欄が設けられており、図４においては、結果欄が上から「一致」、「不一致」、および「一致」と登録されており、時刻欄が上から「2009/1/28 14:12:15」、「2009/1/28 14:13:15」、および、「2009/1/28 14:14:15」と登録されている。また、扉開閉センサチェック欄には、結果欄、および時刻欄が設けられており、図４においては、結果欄が上から「正常」、「異常」、および「正常」と登録されており、時刻欄が上から「2009/1/28 14:10:45」、「2009/1/28 14:11:45」、および、「2009/1/28 14:12:45」と登録されている。さらに、磁石センサチェック欄には、結果欄、および時刻欄が設けられており、図４においては、結果欄が上から「正常」、「異常」、および「正常」と登録されており、時刻欄が上から「2009/1/28 14:10:45」、「2009/1/28 14:11:45」、および、「2009/1/28 14:12:45」と登録されている。また、電波センサチェック欄には、結果欄、および時刻欄が設けられており、図４においては、結果欄が上から「正常」、「異常」、および「正常」と登録されており、時刻欄が上から「2009/1/28 14:10:45」、「2009/1/28 14:11:45」、および、「2009/1/28 14:12:45」と登録されている。さらに、振動センサチェック欄には、結果欄、および時刻欄が設けられており、図４においては、結果欄が上から「正常」、「異常」、および「正常」と登録されており、時刻欄が上から「2009/1/28 14:10:45」、「2009/1/28 14:11:45」、および、「2009/1/28 14:12:45」と登録されている。
【００３９】
結果として、図４の判定ステータス情報データベース１２においては、台番号が１０００の遊技機２は、2009年1月28日14時12分15秒の識別情報チェックの結果が「一致」であり、2009年1月28日14時10分45秒の扉開閉センサチェック、磁石センサチェック、電波センサチェック、および振動センサチェックの結果が、いずれも「正常」であったことが最新情報として登録されている。また、台番号が１００１の遊技機２は、2009年1月28日14時13分15秒の識別情報チェックの結果が「不一致」であり、2009年1月28日14時11分45秒の扉開閉センサチェック、磁石センサチェック、電波センサチェック、および振動センサチェックの結果が、いずれも「異常」であったことが最新情報として登録されている。さらに、台番号が１００２の遊技機２は、2009年1月28日14時14分15秒の識別情報チェックが「一致」し、2009年1月28日14時12分45秒の扉開閉センサチェック、磁石センサチェック、電波センサチェック、および振動センサチェックの結果が、いずれも「正常」であったことが最新情報として登録されている。
【００４０】
遊技機２は、信号出力部４１、扉開閉センサ４２、振動センサ４３、磁石センサ４４、電波センサ４５、および記録担体４６より構成されている。信号出力部４１は、扉開閉センサ４２、振動センサ４３、磁石センサ４４、電波センサ４５の検出結果をホールコンピュータに送信する。扉開閉センサ４２は、遊技機２の前扉の開閉を検出し、検出結果を信号出力部４１に供給する。振動センサ４３は、遊技機２の振動の有無（本体を叩かれたりする際に発生する振動の有無）を検出し、検出結果を信号出力部４１に供給する。磁石センサ４４は、遊技機２に対する磁石の接近の有無を検出し、検出結果を信号出力部４１に供給する。電波センサ４５は、遊技機２の周辺で発生する電波を検出し、検出結果を信号出力部４１に供給する。記録担体４６は、QRコードが標記されたシール状のものであり、QRコードには、固有の識別情報が登録されている。
【００４１】
記録担体４６は、遊技機２の検定書などのように所定の規格の検定を証明するものとして印字されるものであるため、遊技機２を制御する基板の蓋などを封印するように印字される。したがって、記録担体４６は、検定後印字された後は、基板の蓋などを開放しようとすると破れるようにできており、封印を解いた後は、再度元の状態に戻すことができないものである。したがって、不正行為がなされる場合、その不正行為の発覚を見た目に隠蔽するためには、記録担体４６は、別のものと交換する必要があるが、記録担体４６に記録される情報は固有情報を備えているので、無断で交換されれば、固有情報が変わることになるので、不正行為が発生したことを示す証拠ともなる。
【００４２】
監視端末３は、例えば、図５で示されるように、遊技機２の横に備え付けられている、いわゆる貸球機などと一体となったものであるが、一部は遊技機２本体側にも設けられているものもあり、実質的には、遊技機２の本体と一体となって設けられているものである。尚、図５においては、左から遊技機２−１乃至２−３が配設されているとき、監視端末３−１乃至３−３がその間に設けられていることを示している。
【００４３】
監視端末３は、制御部５１、撮像部５２、情報識別部５３、および通信部５４より構成されている。制御部５１は、監視端末３の動作の全体を制御している。撮像部５２は、図６，図７で示されるように、遊技機２の背面部から遊技機２に印字されている記憶担体４６に対して対向する位置であって、記憶担体４６を接写する位置に設置され、CCD（Charge Coupled Device）やCMOS（Complementary Metal Oxide Semiconductor）などの撮像素子であり、画像を撮像し、撮像した画像に対応する画像信号をホールコンピュータ１、および制御部５１に供給する。このため、図６で示されるように、遊技機２の前扉が開放されている場合、撮像部５２は、遊技機２の前方付近を撮像することができる。一方、図７で示されるように、遊技機２の前扉が閉鎖されている場合、撮像部５２は、記憶担体４６のQRコードのみを接写して、その画像を制御部５１に供給する。すなわち、前扉が閉鎖されている場合、撮像部５２には、QRコードのみが撮像され、それ以外のものが撮像されない状態となる。
【００４４】
制御部５１は、撮像部５２より供給されてくる画像を情報識別部５３に供給する。情報識別部５３は、供給されてきた画像内にQRコードがあるとき、そのQRコードから識別情報を読み出して制御部５１に供給する。ただし、上述したように、前扉が開放されると撮像部５２は、QRコードを撮像することができない構造となっているので、前扉が閉鎖されて、QRコードが撮像されているときにのみ、情報識別部５３は、QRコードより識別情報を抽出して制御部５１に供給することができる。制御部５１は、情報識別部５３より識別情報が供給されてきたとき、通信部５４を制御して、識別情報をホールコンピュータ１に送信する。
【００４５】
尚、図６においては、遊技機２−１，２−２の前扉が開放し、撮像部５２−１，５２−２がそれぞれ遊技機２の前方付近を撮像している状態を示しており、図７においては、前扉が閉鎖されて、撮像部５２−１乃至５２−３が、記録担体４６の表面に印刷されたQRコードを接写している状態を示している。
【００４６】
［ホールコンピュータおよび監視端末による識別情報登録処理］
次に、図８のフローチャートを参照して、識別情報登録処理について説明する。
【００４７】
ステップＳ１において、制御部２１は、操作部２２が操作されて識別情報の登録（または更新）を指示するボタンが操作されたか否かを判定し、操作されたと判定されるまで、同様の処理を繰り返す。
【００４８】
ステップＳ１において、例えば、操作部２２が操作されて識別情報の登録（または更新）が指示されると処理は、ステップＳ２に進む。
【００４９】
一方、監視端末３においては、ステップＳ１１において、制御部５１が、撮像部５２を制御して画像を撮像させ、制御部５１に供給させると共に、ステップＳ１２において、撮像部５２により撮像された画像は、ホールコンピュータ１に送信される。このとき、ホールコンピュータ１に送信される画像には、監視端末３を識別する情報も付される。この監視端末３を識別する情報は、遊技機２を識別する情報に対応付けられたものであるので、ホールコンピュータ１においては、送信されてきた画像が、どの遊技機２に対応する監視端末３からの画像であるのかを識別することができる。
【００５０】
ステップＳ１３において、情報識別部５３は、供給されてきた画像より識別情報を抽出する。すなわち、情報識別部５３は、供給されてきた画像にQRコードが含まれている場合、所定のアルゴリズムによりQRコードをデコードし、含まれている識別情報を抽出する。ただし、上述したように、撮像部５２は、前扉が閉鎖されている状態においては、前扉の裏側に印字された記録担体４６であるQRコードを接写する状態となっているが、前扉が開放された場合、QRコードは撮像部５２により撮像することができない状態となり、代わって、遊技機２の前方付近の画像が撮像されることになるため、QRコードを抽出することができない状態となる。
【００５１】
ステップＳ１４において、制御部５１は、情報識別部５３により識別情報が抽出できたか否かを判定し、抽出できない場合、処理は、ステップＳ１１に戻る。
【００５２】
一方、ステップＳ１４において、例えば、識別情報が抽出できた場合、ステップＳ１５において、制御部５１は、情報識別部５３より供給されてきた識別情報を、自らを識別する情報と共に、通信部５４を制御してホールコンピュータ１に送信する。
【００５３】
ステップＳ２において、制御部２１は、通信部２３を制御して、監視端末３から識別情報が送信されてきたか否かを判定し、送信されてこない場合、処理は、ステップＳ４に進む。一方、ステップＳ２において、例えば、ステップＳ１５の処理により、識別情報が送信されてくると、識別情報が送信されてきたものとみなされ、処理は、ステップＳ３に進む。
【００５４】
ステップＳ３において、制御部２１は、通信部２３を制御して、送信されてきた識別情報を受信させると共に、記録情報登録部２６に供給する。記録情報登録部２６は、取得した識別情報に付されている監視端末３を識別する情報に基づいて、遊技機２を識別する台番号、島番号、フロアを特定し、台番号に対応付けて、識別情報に含まれる遊技機固有情報を識別情報データベース１４に登録する。尚、この際、台番号に対応する情報が登録済みであったような場合、供給されてきた識別情報に対応する情報を更新する。
【００５５】
ステップＳ４において、制御部２１は、操作部２２が操作されて登録（または更新）の処理を終了する指示がなされたか否かを判定し、終了が指示されていない場合、処理は、ステップＳ２に戻り、それ以降の処理が繰り返される。
【００５６】
このようにして、図２を参照して説明した識別情報データベース１４が登録、または、更新することにより、新たな遊技機２を入れ替えるような場合でも、新たな記録担体４６を印字してあれば、前扉を閉鎖しておくのみで、識別情報データベース１４が更新される。
【００５７】
一方、このとき、ホールコンピュータ１においては、監視端末３より供給されてくる画像を取得し、録画処理が実行される。
【００５８】
［ホールコンピュータによる録画処理］
ここで、図８のフローチャートを参照して、録画処理について説明する。
【００５９】
ステップＳ２１において、制御部２１は、記録部２４を制御して、監視端末３より画像が送信されてきたか否かを判定し、送信されてくるまで、同様の処理を繰り返す。ステップＳ２１において、例えば、ステップＳ１２の処理により、画像が送信されてきた場合、ステップＳ２２において、記録部１１は、送信されてきた画像を画像記録データベース１１に録画する。この際、送信されてきたが画像に含まれる監視端末３を識別する情報に基づいて、対応する遊技機２の台番号に対応付け、さらに、RTC３０により発生される時刻情報に基づいた録画開始時刻、および録画終了時刻と併せて画像に所定の圧縮処理をかけて蓄積する。
【００６０】
以上の処理により、遊技機２の前扉が開放される際の周辺の画像も併せて、画像記録データベース１１に記録させる
【００６１】
［遊技機による遊技機監視処理］
次に、図９のフローチャートを参照して、遊技機２による監視処理について説明する。
【００６２】
ステップＳ４１において、信号出力部４１は、扉開閉センサ４２より、扉の開放が検出されたことを示すＯＮ信号が出力されているか否かを判定する。ステップＳ４１において、例えば、前扉が開放されており、扉開閉センサ４２より開放されていることを示すＯＮ信号が出力されている場合、ステップＳ４２において、信号出力部４１は、ホールコンピュータ１に扉開閉センサ４２がＯＮ信号を出力していることを通知し、処理は、ステップＳ４４に進む。
【００６３】
一方、ステップＳ４１において、扉が開放されておらず、扉開閉センサ４２からは扉の開放が検出されていないことを示すＯＦＦ信号が出力されている場合、ステップＳ４３において、信号出力部４１は、ホールコンピュータ１に扉開閉センサ４２がＯＦＦ信号を出力していることを通知し、処理は、ステップＳ４４に進む。
【００６４】
ステップＳ４４において、信号出力部４１は、磁石センサ４４より、磁石の接近が検出されたことを示すＯＮ信号が出力されているか否かを判定する。ステップＳ４４において、例えば、磁石が接近されており、磁石センサ４４から磁石の接近が検出されていることを示すＯＮ信号が出力されている場合、ステップＳ４５において、信号出力部４１は、ホールコンピュータ１に磁石センサ４４がＯＮ信号を出力していることを通知し、処理は、ステップＳ４７に進む。
【００６５】
一方、ステップＳ４４において、磁石が接近されておらず、磁石センサ４４からは磁石の接近が検出されていないことを示すＯＦＦ信号が出力されている場合、ステップＳ４６において、信号出力部４１は、ホールコンピュータ１に磁石センサ４４がＯＦＦ信号を出力していることを通知し、処理は、ステップＳ４７に進む。
【００６６】
ステップＳ４７において、信号出力部４１は、電波センサ４５より、電波が検出されたことを示すＯＮ信号が出力されているか否かを判定する。ステップＳ４７において、例えば、電波が発生しており、電波センサ４５から電波が検出されていることを示すＯＮ信号が出力されている場合、ステップＳ４８において、信号出力部４１は、ホールコンピュータ１に電波センサ４５がＯＮ信号を出力していることを通知し、処理は、ステップＳ５０に進む。
【００６７】
一方、ステップＳ４７において、電波が発生されておらず、電波センサ４５からは電波が検出されていないことを示すＯＦＦ信号が出力されている場合、ステップＳ４９において、信号出力部４１は、ホールコンピュータ１に電波センサ４５がＯＦＦ信号を出力していることを通知し、処理は、ステップＳ５０に進む。
【００６８】
ステップＳ５０において、信号出力部４１は、振動センサ４３より、所定値よりも大きな振動が検出されたことを示すＯＮ信号が出力されているか否かを判定する。ステップＳ５０において、例えば、振動センサ４３から振動が検出されていることを示すＯＮ信号が出力されている場合、ステップＳ５１において、信号出力部４１は、ホールコンピュータ１に振動センサ４３がＯＮ信号を出力していることを通知し、処理は、終了する。
【００６９】
一方、ステップＳ５０において、所定値よりも大きな振動が発生されておらず、電波センサ４５からは振動が検出されていないことを示すＯＦＦ信号が出力されている場合、ステップＳ５２において、信号出力部４１は、ホールコンピュータ１に振動センサ４３がＯＦＦ信号を出力していることを通知し、処理は、終了する。
【００７０】
すなわち、以上のように遊技機２は、扉開閉センサ４２、振動センサ４３、磁石センサ４４、および電波センサ４５の検出状態に応じた信号をホールコンピュータ１に送信する。
【００７１】
［ホールコンピュータによる遊技機監視処理］
次に、図１０のフローチャートを参照して、ホールコンピュータ１による遊技機監視処理について説明する。
【００７２】
ステップＳ６１において、制御部２１は、操作部２２が操作されて監視の開始を指示するボタンが操作されたか否かを判定し、操作されたと判定されるまで、同様の処理を繰り返す。そして、ステップＳ６１において、操作部２２が操作されて、監視の開始が指示されると、処理は、ステップＳ６２に進む。
【００７３】
ステップＳ６２において、制御部２１は、記録部２４を制御して、録画処理を実行させ、監視端末３より供給されてくる画像を画像記録データベース１１に記録させる。尚、録画処理については、図８のフローチャートを参照して、説明した処理であるので、その説明は省略するものとする。
【００７４】
ステップＳ６３において、制御部２１は、情報判定部２８を制御して、識別情報チェック処理を実行させ、監視端末３より送信されてくる識別情報が登録された情報と一致するか否かを判定させる。
【００７５】
［識別情報チェック処理］
ここで、図１１のフローチャートを参照して、識別情報チェック処理について説明する。
【００７６】
ステップＳ８１において、情報判定部２８は、通信部２４を制御して、監視端末３より識別情報が送信されてきたか否かを判定し、送信されてきていない場合、処理は終了する。一方、ステップＳ８１において、図８のフローチャートを参照して説明したステップＳ１５の処理と同様に、監視端末３より識別情報が送信されてきた場合、処理は、ステップＳ８２に進む。
【００７７】
ステップＳ８２において、情報判定部２８は、識別情報に含まれる情報のうち、台番号の情報に基づいて、識別情報データベース１４を照合し、登録されている識別情報を検索し、検索された台番号の識別情報を読み出す。
【００７８】
ステップＳ８３において、情報判定部２８は、監視端末３より送信されてきた識別情報と、識別情報データベース１４から読み出されてきた識別情報と、運営情報、および遊技機固有情報が一致するか否かを判定する。
【００７９】
ステップＳ８４において、情報判定部２８は、ステップＳ８３の処理による判定結果が「一致」であるか否かを判定する。
【００８０】
ステップＳ８４において、ステップＳ８３の判定結果が、一致すると判定された場合、ステップＳ８５において、情報判定部２８は、監視端末３の撮像部５２により正規の記録担体４６に描かれている正規のQRコードが撮像されていることにより、遊技機２の前扉が閉鎖状態であって、異常がないものとみなしたことを示す「一致」を示す情報を判定結果記録部２９に供給する。さらに、判定結果記録部２９は、判定ステータス情報データベース１２にアクセスし、対応する台番号の判定ステータス情報を読み出し、判定結果が「不一致」であるものとして登録されているか否かを判定する。
【００８１】
ステップＳ８５において、例えば、図４における台番号「１０００」の場合、直前の処理でも判定結果が「一致」であるので、判定ステータス情報データベース１２には、「一致」が既に登録されていることになるので、処理は、終了する。
【００８２】
一方、ステップＳ８５において、例えば、図４における台番号「１００１」の場合、「不一致」であると登録されているので、ステップＳ８６において、判定結果記録部２９は、判定ステータス情報データベース１２に記録されている、「不一致」に対して「一致」の情報を上書きして登録（更新）する。
【００８３】
ステップＳ８７において、判定結果記録部２９は、RTC３０で発生されている現在時刻の情報を読み出して、判定ステータス情報データベース１２の時刻の情報を登録する。
【００８４】
また、ステップＳ８４において、ステップＳ８３の判定結果が一致しない場合、ステップＳ８８において、情報判定部２８は、「不一致」であることを示す情報を判定結果記録部２９に供給する。判定結果記録部２９は、判定結果が「不一致」であるものとして登録されているか否かを判定する。例えば、図４における台番号「１００１」の場合、直前の処理でも判定結果が「不一致」であるので、判定ステータス情報データベース１２には、「不一致」が既に登録されていることになるので、処理は、終了する。
【００８５】
一方、ステップＳ８８において、図４における台番号「１００２」の場合、「一致」であると登録されているので、ステップＳ８９において、判定結果記録部２９は、判定ステータス情報データベース１２に記録されている、「一致」に対して「不一致」の情報を上書きして登録（更新）する。
【００８６】
ステップＳ９０において、判定結果記録部２９は、RTC３０で発生されている現在時刻の情報を読み出して、判定ステータス情報データベース１２の時刻の情報を登録する。
【００８７】
ステップＳ９１において、判定結果記録部２９は、判定結果データベース１３を読み出し、識別情報に異常が発生したことを示す情報と共に、RTC３０より読み出される時刻の情報を登録する。
【００８８】
以上の処理により、監視端末３より識別情報が供給されてくると、識別情報データベース１４に登録済みの情報であるか否かを判定し、判定結果に応じて、判定結果と共に、現在時刻の情報を判定ステータス情報データベース１２、および判定結果データベース１３に登録する。結果として、判定ステータス情報データベース１２には、今現在の判定状況が逐次更新されて登録されると共に、判定結果データベース１３には、累積的に判定結果が蓄積されて更新される。
【００８９】
ここで、図１０のフローチャートの説明に戻る。
【００９０】
ステップＳ６３において、識別情報チェック処理が終了すると、ステップＳ６４において、制御部２１は、信号入力部２５を制御して、遊技機異常チェック処理を実行させる。
【００９１】
［ホールコンピュータによる遊技機異常チェック処理］
ここで、図１２のフローチャートを参照して、遊技機異常チェック処理について説明する。
【００９２】
遊技機異常チェック処理は、ステップＳ１１１において、扉開閉センサチェック処理が実行され、ステップＳ１１２において、磁石センサチェック処理が実行され、ステップＳ１１３において、電波センサチェック処理が実行され、そして、ステップＳ１１４において、振動センサチェック処理が順次実行される。
【００９３】
［扉開閉センサチェック処理］
まず、図１３のフローチャートを参照して、扉開閉センサチェック処理について説明する。
【００９４】
ステップＳ１３１において、判定結果記録部２９は、扉開閉センサ４２から出力される信号がＯＦＦ信号であることが信号入力部２５に通知されているか否かを判定する。ステップＳ１３１において、例えば、上述した図９のフローチャートにおけるステップＳ４３の処理により、ＯＦＦ信号が出力されていることが通知されている場合、処理は、ステップＳ１３２に進む。
【００９５】
ステップＳ１３２において、判定結果記録部２９は、判定ステータス情報データベース１２にアクセスし、通知されている台番号に対応する判定ステータス情報を検索し、扉開閉センサチェック欄における結果欄が「異常」であるか否かを判定する。すなわち、直前の判定処理において、「異常」であるか否かが判定される。
【００９６】
ステップＳ１３２において、例えば、「異常」であると判定された場合、すなわち、直前の判定処理においては「異常」であった場合、ステップＳ１３３において、判定結果記録部２９は、画像抽出部２９ａを制御して、扉開閉センサチェック欄に「異常」が登録された時刻情報を読み出させ、現在の時刻までの画像データを画像記録データベース１１から抽出させる。すなわち、直前において、「異常」であると判定されたタイミングからは、前扉が開放されているため、撮像部５２は、遊技機２の前方周辺の状況が撮像されており、「正常」であると判定されるタイミングにおいて、前扉は閉鎖されることになるので、それ以降においてはQRコードが撮像されていることになる。このため、前扉が開放されている期間の遊技機２の前方周辺の状況が撮像されている可能性の高い部分のみが、画像記録データベース１１より抽出される。
【００９７】
ステップＳ１３４において、判定結果記録部２９は、判定結果データベース１３に扉開閉センサ４２がＯＦＦであることを通知してきた遊技機２に対応する台番号に対応付けて、後述するステップＳ１３９の処理により既に登録されている、チェック種別欄に扉開放センサ異常、および、異常発生時刻欄の時刻情報に加えて、画像抽出部２９ａにより抽出された画像データを登録すると共に、撮像画像欄に「あり」を登録する。
【００９８】
ステップＳ１３５において、判定結果記録部２９は、判定ステータス情報データベース１２の扉開閉センサチェック欄の結果欄に「正常」を記録する。
【００９９】
ステップＳ１３６において、判定結果記録部２９は、判定ステータス情報データベース１２の扉開閉センサチェック欄の時刻欄にRTC３０にて今現在発生している時刻情報を登録し、処理は、終了する。
【０１００】
一方、ステップＳ１３２において、例えば、「正常」であると判定された場合、すなわち、直前の判定処理においては「正常」であった場合、既に、判定ステータス情報データベース１２には、「正常」が登録されているため、ステップＳ１３３乃至Ｓ１３７の処理がスキップされて、処理は終了する。
【０１０１】
さらに、ステップＳ１３１において、例えば、ＯＦＦ信号が出力されていない場合、すなわち、上述した図９のフローチャートにおけるステップＳ４２の処理により、ＯＮ信号が出力されていることが通知されている場合、処理は、ステップＳ１３７に進む。
【０１０２】
ステップＳ１３７において、判定結果記録部２９は、判定ステータス情報データベース１２にアクセスし、通知されている台番号に対応する判定ステータス情報を検索し、扉開閉センサチェック欄が「正常」であるか否かを判定する。すなわち、直前の判定処理において、「正常」であるか否かが判定される。
【０１０３】
ステップＳ１３７において、例えば、「正常」であると判定された場合、すなわち、直前の判定処理においては「正常」であった場合、ステップＳ１３８において、判定結果記録部２９は、判定ステータス情報データベース１２の扉開閉センサチェック欄の結果欄に「異常」を記録する。
【０１０４】
ステップＳ１３９において、判定結果記録部２９は、判定結果データベース１３に扉開閉センサ４２がＯＦＦであることを通知してきた遊技機２に対応する台番号に対応付けてチェック種別欄に扉開放センサ異常を登録し、異常発生時刻欄に、RTC３０で今現在発生している時刻情報を登録し、撮像画像欄に「なし」を登録する。すなわち、扉開閉センサ４２の異常が検出された時点では画像の撮像が開始されただけであり、まだ画像データが抽出されておらず、登録がなされていないので、撮像画像欄には「なし」が登録される。
【０１０５】
また、ステップＳ１３７において、例えば、「異常」が登録されている場合、既に、判定ステータス情報データベース１２には、「異常」が登録されているため、ステップＳ１３８，Ｓ１３９の処理がスキップされて、処理は終了する。
【０１０６】
以上の処理により扉開閉センサ４２で検出される前扉の異常開放の検出結果が判定結果データベース１３に順次登録されていくと共に、前扉が開放されると、前扉が閉鎖されているときに監視端末３の撮像部５２の正面に接写される記録担体４６のQRコードが撮像不能な状態となると同時に、撮像可能となる遊技機２の前方周辺の画像が登録される。結果として、扉開閉センサ４２による前扉の不正な開放と、その発生時刻の情報を確認することが可能となると共に、異常発生時の遊技機２の前方周辺の状態を画像により把握することが可能となる。
【０１０７】
［磁石センサチェック処理］
次に、図１４のフローチャートを参照して、磁石センサチェック処理について説明する。
【０１０８】
ステップＳ１５１において、判定結果記録部２９は、磁石センサ４４から出力される信号がＯＦＦ信号であることが信号入力部２５に通知されているか否かを判定する。ステップＳ１５１において、例えば、上述した図９のフローチャートにおけるステップＳ４６の処理により、ＯＦＦ信号が出力されていることが通知されている場合、処理は、ステップＳ１５２に進む。
【０１０９】
ステップＳ１５２において、判定結果記録部２９は、判定ステータス情報データベース１２にアクセスし、通知されている台番号に対応する判定ステータス情報を検索し、磁石センサチェック欄の結果欄が「異常」であるか否かを判定する。すなわち、直前の判定処理において、「異常」であるか否かが判定される。
【０１１０】
ステップＳ１５２において、例えば、「異常」であると判定された場合、すなわち、直前の判定処理においては「異常」であった場合、ステップＳ１５３において、判定結果記録部２９は、判定ステータス情報データベース１２の磁石チェック欄の結果欄に「正常」を記録する。
【０１１１】
ステップＳ１５４において、判定結果記録部２９は、判定ステータス情報データベース１２の扉開閉センサチェック欄の時刻欄にRTC３０にて今現在発生している時刻情報を登録し、処理は、終了する。
【０１１２】
ステップＳ１５２において、例えば、「正常」であると判定された場合、すなわち、直前の判定処理においては「正常」であった場合、既に、判定ステータス情報データベース１２には、「正常」が登録されているため、ステップＳ１５３乃至Ｓ１５４の処理がスキップされて、処理は終了する。
【０１１３】
一方、ステップＳ１５１において、例えば、ＯＦＦ信号が出力されていない場合、すなわち、上述した図９のフローチャートにおけるステップＳ４５の処理により、ＯＮ信号が出力されていることが通知されている場合、処理は、ステップＳ１５５に進む。
【０１１４】
ステップＳ１５５において、判定結果記録部２９は、判定ステータス情報データベース１２にアクセスし、通知されている台番号に対応する判定ステータス情報を検索し、磁石センサチェック欄の結果欄が「正常」であるか否かを判定する。すなわち、直前の判定処理において、「正常」であるか否かが判定される。
【０１１５】
ステップＳ１５５において、例えば、「正常」であると判定された場合、すなわち、直前の判定処理においては「正常」であった場合、ステップＳ１５６において、判定結果記録部２９は、判定ステータス情報データベース１２の磁石センサチェック欄の結果欄に「異常」を記録する。
【０１１６】
ステップＳ１５７において、判定結果記録部２９は、判定結果データベース１３に磁石センサ４４がＯＦＦであることを通知してきた遊技機２に対応する台番号に対応付けてチェック種別欄に磁石センサ異常を登録し、異常発生時刻欄に、RTC３０で今現在発生している時刻情報を登録し、撮像画像欄に「なし」を登録する。
【０１１７】
また、ステップＳ１５５において、例えば、「異常」が登録されている場合、既に、判定ステータス情報データベース１２には、「異常」が登録されているため、ステップＳ１５６，Ｓ１５７の処理がスキップされて、処理は終了する。
【０１１８】
以上の処理により磁石センサ４４で検出される磁石の接近を検出する検出結果と、その時刻の情報が判定結果データベース１３に順次登録されていくと共に、異常が発生したことを示す検出結果と、その時刻の情報が、今現在の状態として判定ステータス情報データベース１２に登録される。結果として、磁石センサ４４による磁石の接近と、その発生時刻の情報を確認することが可能となる
【０１１９】
［電波センサチェック処理］
次に、図１５のフローチャートを参照して、電波センサチェック処理について説明する。
【０１２０】
ステップＳ１７１において、判定結果記録部２９は、電波センサ４５から出力される信号がＯＦＦ信号であることが信号入力部２５に通知されているか否かを判定する。ステップＳ１７１において、例えば、上述した図９のフローチャートにおけるステップＳ４９の処理により、ＯＦＦ信号が出力されていることが通知されている場合、処理は、ステップＳ１７２に進む。
【０１２１】
ステップＳ１７２において、判定結果記録部２９は、判定ステータス情報データベース１２にアクセスし、通知されている台番号に対応する判定ステータス情報を検索し、電波センサチェック欄の結果欄が「異常」であるか否かを判定する。すなわち、直前の判定処理において、「異常」であるか否かが判定される。
【０１２２】
ステップＳ１７２において、例えば、「異常」であると判定された場合、すなわち、直前の判定処理においては「異常」であった場合、ステップＳ１７３において、判定結果記録部２９は、判定ステータス情報データベース１２の電波センサチェック欄の結果欄に「正常」を記録する。
【０１２３】
ステップＳ１７４において、判定結果記録部２９は、判定ステータス情報データベース１２の電波センサチェック欄の時刻欄にRTC３０にて今現在発生している時刻情報を登録し、処理は、終了する。
【０１２４】
一方、ステップＳ１７２において、例えば、「正常」であると判定された場合、すなわち、直前の判定処理においては「正常」であった場合、既に、判定ステータス情報データベース１２には、「正常」が登録されているため、ステップＳ１７３乃至Ｓ１７４の処理がスキップされて、処理は終了する。
【０１２５】
さらに、ステップＳ１７１において、例えば、ＯＦＦ信号が出力されていない場合、すなわち、上述した図９のフローチャートにおけるステップＳ４８の処理により、ＯＮ信号が出力されていることが通知されている場合、処理は、ステップＳ１７５に進む。
【０１２６】
ステップＳ１７５において、判定結果記録部２９は、判定ステータス情報データベース１２にアクセスし、通知されている台番号に対応する判定ステータス情報を検索し、電波センサチェック欄が「正常」であるか否かを判定する。すなわち、直前の判定処理において、「正常」であるか否かが判定される。
【０１２７】
ステップＳ１７５において、例えば、「正常」であると判定された場合、すなわち、直前の判定処理においては「正常」であった場合、ステップＳ１７６において、判定結果記録部２９は、判定ステータス情報データベース１２の電波センサチェック欄の結果欄に「異常」を記録する。
【０１２８】
ステップＳ１７７において、判定結果記録部２９は、判定結果データベース１３に電波センサ４５がＯＦＦであることを通知してきた遊技機２に対応する台番号に対応付けてチェック種別欄に電波センサ異常を登録し、異常発生時刻欄に、RTC３０で今現在発生している時刻情報を登録し、撮像画像欄に「なし」を登録する。
【０１２９】
また、ステップＳ１７５において、例えば、「異常」が登録されている場合、既に、判定ステータス情報データベース１２には、「異常」が登録されているため、ステップＳ１７６，Ｓ１７７の処理がスキップされて、処理は終了する。
【０１３０】
以上の処理により電波センサ４５で検出される電波の発生を検出する検出結果と、その時刻情報が判定結果データベース１３に順次登録されていくと共に、異常が発生した検出結果と、その時刻の情報が、今現在の状態を示す情報として判定ステータス情報データベース１２に順次登録されていく。結果として、電波センサ４５による電波の発生と、その発生時刻の情報を確認することが可能となる
【０１３１】
［振動センサチェック処理］
次に、図１６のフローチャートを参照して、振動センサチェック処理について説明する。
【０１３２】
ステップＳ１９１において、判定結果記録部２９は、振動センサ４３から出力される信号がＯＦＦ信号であることが信号入力部２５に通知されているか否かを判定する。ステップＳ１９１において、例えば、上述した図９のフローチャートにおけるステップＳ５２の処理により、ＯＦＦ信号が出力されていることが通知されている場合、処理は、ステップＳ１９２に進む。
【０１３３】
ステップＳ１９２において、判定結果記録部２９は、判定ステータス情報データベース１２にアクセスし、通知されている台番号に対応する判定ステータス情報を検索し、振動センサチェック欄の結果欄が「異常」であるか否かを判定する。すなわち、直前の判定処理において、「異常」であるか否かが判定される。
【０１３４】
ステップＳ１９２において、例えば、「異常」であると判定された場合、すなわち、直前の判定処理においては「異常」であった場合、ステップＳ１９３において、判定結果記録部２９は、判定ステータス情報データベース１２の振動センサチェック欄の結果欄に「正常」を記録する。
【０１３５】
ステップＳ１９４において、判定結果記録部２９は、判定ステータス情報データベース１２の電波センサチェック欄の時刻欄にRTC３０にて今現在発生している時刻情報を登録し、処理は、終了する。
【０１３６】
一方、ステップＳ１９２において、例えば、「正常」であると判定された場合、すなわち、直前の判定処理においては「正常」であった場合、既に、判定ステータス情報データベース１２には、「正常」が登録されているため、ステップＳ１９３，Ｓ１９４の処理がスキップされて、処理は終了する。
【０１３７】
さらに、ステップＳ１９１において、例えば、ＯＦＦ信号が出力されていない場合、すなわち、上述した図９のフローチャートにおけるステップＳ５１の処理により、ＯＮ信号が出力されていることが通知されている場合、処理は、ステップＳ１９５に進む。
【０１３８】
ステップＳ１９５において、判定結果記録部２９は、判定ステータス情報データベース１２にアクセスし、通知されている台番号に対応する判定ステータス情報を検索し、振動センサチェック欄が「正常」であるか否かを判定する。すなわち、直前の判定処理において、「正常」であるか否かが判定される。
【０１３９】
ステップＳ１９５において、例えば、「正常」であると判定された場合、すなわち、直前の判定処理においては「正常」であった場合、ステップＳ１９６において、判定結果記録部２９は、判定ステータス情報データベース１２の振動センサチェック欄の結果欄に「異常」を記録する。
【０１４０】
ステップＳ１９７において、判定結果記録部２９は、判定結果データベース１３に振動センサ４３がＯＦＦであることを通知してきた遊技機２に対応する台番号に対応付けてチェック種別欄に振動センサ異常を登録し、異常発生時刻欄に、RTC３０で今現在発生している時刻情報を登録し、撮像画像欄に「なし」を登録する。
【０１４１】
また、ステップＳ１９５において、例えば、「異常」が登録されている場合、既に、判定ステータス情報データベース１２には、「異常」が登録されているため、ステップＳ１９６，Ｓ１９７の処理がスキップされて、処理は終了する。
【０１４２】
以上の処理により振動センサ４３で検出される振動の発生を検出する検出結果と、その時刻情報が判定結果データベース１３に順次登録されていくと共に、異常が発生したことを示す検出結果と、その時刻の情報が今現在の状態を示す情報として、順次判定ステータス情報データベース１２に順次登録されていく。結果として、振動センサ４３による振動の発生と、その発生時刻の情報を確認することが可能となる。
【０１４３】
尚、以上においては、記録担体４６としてQRコードを用いる例について説明してきたが、コードが表記されたものであれば、その他のものであってもよく、例えば、バーコードなどでもよい。
【０１４４】
また、扉開閉センサ４２の異常検出時に、画像データを併せて登録させる処理において、「異常」が検出された時刻から、「正常」が検出された時刻までに、撮像部５２により撮像された画像を抽出して、併せて判定結果データベース１３に登録させる例について説明してきたが、「異常」が検出された時刻、および「正常」が検出された時刻の情報のみを登録するようにして、必要に応じて再生する際、「異常」が検出された時刻から「正常」が検出された時刻までの時刻に対応する部分のみを再生させるようにしてもよい。
【０１４５】
以上によれば、遊技機の今現在の異常の有無と、累積的な異常の発生状況を監視することが可能となり、さらに、扉開閉センサ４２については、監視端末３との連携により、異常を検出したときの遊技機周辺状況を録画することが可能となる。結果として、異常が発生している遊技機の今現在の状況のみならず、過去に発生した異常の累積的な情報を確認することで異常が発生しやすい遊技機を特定することが可能となると共に、前扉を開いてなされている不正行為については、そのときの発生状況を画像により把握することが可能となる。
【０１４６】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１４７】
図１７は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１４８】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１４９】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１５０】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１５１】
また、本明細書において、システムとは、複数の装置により構成される装置全体を表すものである。
【符号の説明】
【０１５２】
１  ホールコンピュータ
２  遊技機
３  監視端末
１１  画像記録データベース
１２  判定ステータス情報データベース
１３  判定結果データベース
１４  識別情報データベース
２１  制御部
２２  操作部
２３  通信部
２４  記録部
２５  信号入力部
２６  記録情報登録部
２７  表示部
２８  情報判定部
２９  判定結果記録部
３０  RTC
４１  信号出力部
４２  扉開閉センサ
４３  振動センサ
４４  磁石センサ
４５  電波センサ
４６  記録担体
５１  制御部
５２  撮像部
５３  情報識別部
５４  通信部
【図１】
2010207355.tif 000003
【図２】
2010207355.tif 000004
【図３】
2010207355.tif 000005
【図４】
2010207355.tif 000006
【図５】
2010207355.tif 000007
【図６】
2010207355.tif 000008
【図７】
2010207355.tif 000009
【図８】
2010207355.tif 000010
【図９】
2010207355.tif 000011
【図１０】
2010207355.tif 000012
【図１１】
2010207355.tif 000013
【図１２】
2010207355.tif 000014
【図１３】
2010207355.tif 000015
【図１４】
2010207355.tif 000016
【図１５】
2010207355.tif 000017
【図１６】
2010207355.tif 000018
【図１７】
2010207355.tif 000019